(57)【要約】      （修正有）【課題】一種の低周波医療装置において、金属導体は一般の紡績繊維を混合した織物を低周波発生器に連結することにより、医療効果面積を増大する。【解決手段】低周波発生器１０を設け、該低周波発生器に導電線組１２と連結し、導電線組を介して低周波より形成するパルス電流を出力する。導電線組の他端はプラグ２０に接続し、プラグに正極と負極を設ける。プラグはさらに、織物の導電繊維区域と連結する。織物に備える導電繊維区域は金属導体を混合した繊維織物である。使用するとき、織物の導電繊維区域に備える導電性は、公知技術の低周波発生器に備えるパッドの面積より大きく設け、使用面積と間欠の収縮と緩み医療効果を増大できる。【選択図】図２Ａ
0003124697.tif 000002
【実用新案登録請求の範囲】
【請求項１】
低周波発生器を設け、
導電線組を低周波発生器に連結し、該導電線組は低周波発生器のパルス電流を出力し、
プラグを設け、導電線組と電気接続し、
織物を設け、導体金属を混合した織物である、該織物はプラグと締結するための電気接続締結台を設け、該締結台は織物に備える導電金属に接続し、織物と低周波発生器と連結することにより、使用面積を拡大し、
織物の導電性は、低周波発生器より発生する低周波パルス電流と電気接続することにより、織物に間歇的な収縮と緩みを発生し、使用面積を拡大し、医療効果を向上する、一種の低周波医療装置。
【請求項２】
織物は、複数の経線と緯線を編織手段により形成し、該経線または緯線は通常の繊維のより線に、金属導体のより線を絡ませて作り上げることを特徴とする、請求項１記載の低周波医療装置。
【請求項３】
低周波発生器を設け、
導電線組を低周波発生器に連結し、該導電線組は低周波発生器のパルス電流を出力し、
プラグを設け、導電線組と電気接続し、
織物を設け、該織物はプラグと締結するための電気接続締結台を設け、該締結台は織物に備える導電金属に接続し、
導電繊維区域は、織物の特定区域に導電金属を混合し、編織手段により織物内部に金属導線と締結台を介して、低周波発生器より発生するパルス電流に電気接続し、該導電繊維区域は間歇的な収縮と弛みの働きにより、使用面積を拡大し、医療効果を向上する、一種の低周波医療装置。
【請求項４】
導電繊維区域は複数本の経線と緯線を編織手段により形成し、該経線または緯線は通常の繊維のより線に、金属導体のより線を絡ませて作り上げることを特徴とする、請求項３記載の低周波医療装置。
【請求項５】
該導電繊維区域は体の関連部位に対応することを特徴とする、請求項３記載の低周波医療装置。
【請求項６】
該織物は、ストラップ、手袋または靴下であることを特徴とする、請求項１または請求項３記載の低周波医療装置。
【考案の詳細な説明】
【技術分野】
【０００１】
本考案は一種の低周波医療装置に関わるもので、主に低周波発生器を織物に連結し、織物に備える導電繊維区域は金属導体と混合することにより、低周波発生器と電気接続する。
使用するとき、織物の導電繊維区域に備える導電性は、公知技術の低周波発生器に備えるパッドの面積より大きく設け、使用面積と間欠の収縮と緩み医療効果を増大できる。
【背景技術】
【０００２】
在宅ケアの意識はますます高くなり、現代の人は健康を重視する背景で、医療機器も次から次へと開発される。
図１に示すものは、一種の低周波医療装置である。該医療装置に低周波発生器１００を設け、該低周波発生器１００の電源として、電池１１０を取り付ける。該電池１１０はさらに、電気回路板１２０に連結し、該電気回路板１２０は調節ツマミ１２１および電気回路１２２に接続する。そのうち、調節ツマミ１２１は低周波発生器出力の強さと間欠時間を調節する。一方、電気回路１２２は正極と負極パッド１３０に接続する。
この種の装置構造は使用するとき、低周波発生器１００より発生する間欠パルスの低周波電流は正極と負極パッド１３０を介して、正極と負極パッド１３０を肌または体の経穴に当てて、刺激を当て、間歇的な収縮と緩み効果により、マッサージと治療目的を実現する。
【考案の開示】
【考案が解決しようとする課題】
【０００３】
しかしながら、該パッド１３０の与えられる刺激面積は極めて小さいため、体は刺激による収縮、緩み効果も小さい。使用面は理想とは言えない。
【０００４】
本考案人は前記した公知技術の欠点を鑑みて、一種の低周波医療装置を考案し、金属導体は一般の紡績繊維を混合した織物を低周波発生器に連結することにより、医療効果面積を増大する。
【課題を解決するための手段】
【０００５】
前記の目的を達成するため、本考案による低周波医療装置は、主に低周波発生器を設け、該低周波発生器に導電線組と連結し、導電線組を介して、低周波より形成するパルス電流を出力する。導電線組の他端はプラグに接続し、プラグに正極と負極を設ける。プラグはさらに、織物の導電繊維区域と連結する。織物に備える導電繊維区域は金属導体を混合した繊維織物である。使用するとき、織物の導電繊維区域に備える導電性は、公知技術の低周波発生器に備えるパッドの面積より大きく設け、使用面積と間欠の収縮と緩み医療効果を増大できる。
【０００６】
織物に締結台を設け、プラグを締結台に締結することにより、電気接続することを本考案のもう一つの目的とする。
【０００７】
織物に備える導電繊維区域は、複数の経線と緯線を編織手段により形成する。また、該経線または緯線は一般の繊維のより線に、金属導体のより線を絡ませて作り上げることを本考案のさらなるの目的である。
【０００８】
本願の第１考案は、低周波発生器を設け、導電線組を低周波発生器に連結し、該導電線組は低周波発生器のパルス電流を出力し、プラグを設け、導電線組と電気接続し、織物を設け、導体金属を混合した織物である、該織物はプラグと締結するための電気接続締結台を設け、該締結台は織物に備える導電金属に接続し、織物と低周波発生器と連結することにより、使用面積を拡大し、織物の導電性は、低周波発生器より発生する低周波パルス電流と電気接続することにより、織物に間歇的な収縮と緩みを発生し、使用面積を拡大し、医療効果を向上する、一種の低周波医療装置を提供することを目的とする。
本願の第２考案は、織物は、複数の経線と緯線を編織手段により形成し、該経線または緯線は通常の繊維のより線に、金属導体のより線を絡ませて作り上げることを特徴とする、第１考案の低周波医療装置を提供することを目的とする。
本願の第３考案は、低周波発生器を設け、導電線組を低周波発生器に連結し、該導電線組は低周波発生器のパルス電流を出力し、プラグを設け、導電線組と電気接続し、織物を設け、該織物はプラグと締結するための電気接続締結台を設け、該締結台は織物に備える導電金属に接続し、導電繊維区域は、織物の特定区域に導電金属を混合し、編織手段により織物内部に金属導線と締結台を介して、低周波発生器より発生するパルス電流に電気接続し、該導電繊維区域は間歇的な収縮と弛みの働きにより、使用面積を拡大し、医療効果を向上する、一種の低周波医療装置を提供することを目的とする。
本願の第４考案は、導電繊維区域は複数本の経線と緯線を編織手段により形成し、該経線または緯線は通常の繊維のより線に、金属導体のより線を絡ませて作り上げることを特徴とする、第３考案の低周波医療装置を提供することを目的とする。
本願の第５考案は、該導電繊維区域は体の関連部位に対応することを特徴とする、第３考案の低周波医療装置を提供することを目的とする。
本願の第６考案は、該織物は、ストラップ、手袋または靴下であることを特徴とする、第１考案又は第３考案の低周波医療装置を提供することを目的とする。
【０００９】
本考案の目的、形状、構造、装置、特徴及びその効果をさらに認識と理解を図るため、以下の通り実施例と図式を合わせて、その詳細を説明する。
［考案を実施するための最良の形態］
【実施例】
【００１０】
図２Ａおよび図２Ｂに示すものは、本考案の低周波医療装置の実施例１である。
該装置に低周波発生器１０を設け、該低周波発生器１０に調節ツマミ１１を設け、該調節ツマミ１１は低周波発生器１０より発生する低周波パルスの強さと間欠時間を調節する。該低周波発生器１０はさらに、導電線組１２に連結し、本実施例において、２本の電源コードを用いる。該導電線組１２は低周波発生器１０より発生するパルス電流を出力する。
導電線組１２の他端はプラグ２０に連結(本実施例において、締結点を設ける。)し、プラグ２０は正極と負極より構成する。
織物３０を設け、該織物３０(本実施例において、手袋を設ける。)は金属導体を混合した導電繊維織物(図２Ｂ)を用いる。該織物３０はプラグ２０と締結するための電気接続締結台３４を設ける。該締結台３４はさらに、織物３０と電気接続する。
使用するときは、手袋を手に着けておく、低周波発生器１０より発生する低周波パルス電流は、導電線組１２、プラグ２０、締結台３４、導電回路３５而與織品３０を介して、電気接続する。
該織物３０の収縮または緩みにより、痛みを軽減し、公知技術の低周波発生器に備えるパッドの面積より大きく設け、使用面積と間欠の収縮と緩み医療効果を増大できる。
【００１１】
［その他の実施例］
図３Ａ、３Ｂ、図４Ａ、４Ｂおよび図５Ａ、５Ｂに示すものは、本考案の実施例２、実施例３、実施例４である。
該装置に低周波発生器１０を設け、該低周波発生器１０に調節ツマミ１１を設ける。該調節ツマミ１１は低周波発生器１０より発生する低周波パルス電流の強さと間欠時間を調節する。該低周波発生器１０は導電線組１２に連結し、本実施例において、２本の電源コードを設ける。該導電線組１２は低周波発生器より発生するパルス電流を出力する。該導電線組１２の他端はプラグ２０に連結(本実施例において、締結点を設ける。)する。該プラグ２０は正極と負極より構成する。
織物３０を設け、該織物３０(実施例２、３、４において、靴下、肌着または手袋を設ける。)に備える一部の導電区域(手のひら、足の裏または肩の経穴もしくは痛みを感じる場所)は金属導体を混合した導電繊維区域３３(図３Ｂ、４Ｂ、５Ｂ)である。該織物３０はさらに、プラグ２０に締結するための電気接続締結台３４を設け、該締結台３４は織物３０に備える金属導電回路３５(導電回路は織物編んでも良い。)と導電繊維区域３３と電気接続する。
使用するとき、利用者の手のひら、足の裏または肩など必要部位に応じて、手袋、足の裏または肩に導電繊維区域３３を着ける。これにより、低周波発生器１０より発生する低周波パルス電流は、導電線組１２は、プラグ２０、締結台３４、導電回路３５を介して、導電繊維区域３３と電気接続し、導電繊維区域３３の収縮または緩みにより、痛みを軽減し、公知技術の低周波発生器に備えるパッドの面積より大きく設け、使用面積と間欠の収縮と緩み医療効果を増大できる。
【００１２】
図２Ｂ、３Ｂ、４Ｂ、５Ｂに示すとおり、織物に備える導電繊維区域３３は複数本の経線と緯線を編織手段により構成する。
該経線または緯線は一般の繊維のより線３１を金属導体より線３２と絡ませて作り上げる(図２Ｂ、３Ｂ、４Ｂ、５Ｂ)。該金属導体より線３２は銅線または鉄線などを使用する。
【００１３】
以上に説明した通り、本考案は物品の形状、構造とも新規性を有し、先行技術の各種欠点が改良され、使用効果を向上でき、実用性に富むため、理想的な考案と言える。
【図面の簡単な説明】
【００１４】
【図１】公知装置の概略図である。
【図２Ａ】本考案実施例１の立体概略図である。
【図２Ｂ】本考案実施例１の織物の拡大概略図である。
【図３Ａ】本考案実施例２の立体概略図である。
【図３Ｂ】本考案実施例２の織物の拡大概略図である。
【図４Ａ】本考案実施例３の立体概略図である。
【図４Ｂ】本考案実施例３の織物の拡大概略図である。
【図５Ａ】本考案実施例４の立体概略図である。
【図５Ｂ】本考案実施例４の織物の拡大概略図である。
【符号の説明】
【００１５】
１０      低周波発生器
１１      調節ツマミ
１２      導電線組
２０      プラグ
３０      織物
３１      より線
３２      金属導体より線
３３      導電繊維区域
３４      締結台
３５      導電回路
【図１】
0003124697.tif 000003
【図２Ａ】
0003124697.tif 000004
【図２Ｂ】
0003124697.tif 000005
【図３Ａ】
0003124697.tif 000006
【図３Ｂ】
0003124697.tif 000007
【図４Ａ】
0003124697.tif 000008
【図４Ｂ】
0003124697.tif 000009
【図５Ａ】
0003124697.tif 000010
【図５Ｂ】
0003124697.tif 000011